(57)【要約】【課題】安価で簡易な構造でも十分な強度を備えた部材で調整台を構成することにより、製作性の向上を行った釣合おもり用調整台を備えた釣合おもりを提供する。【解決手段】乗りかごと、釣合おもり１とを備え、釣瓶式に昇降するエレベーターにおいて、釣合おもり１の下方に緩衝器が設置され、釣合おもり１の下端部であって緩衝器の鉛直上方に位置する部位には、Ｈ字状部材である調整台６ａ、６ｂが一個又は複数個設置され、調整台６ａ、６ｂは、接続部と距離調整部６ｃ、６ｄとを有し、接続部を介して着脱可能に設置されている。【選択図】図２
2014172712.tif 000002
【特許請求の範囲】
【請求項１】
乗りかごと、釣合おもりとを備え、釣瓶式に昇降するエレベーターにおいて、前記釣合おもりの下方に緩衝器が設置され、前記釣合おもりの下端部であって前記緩衝器の鉛直上方に位置する部位には、Ｈ字状部材である調整台が一個又は複数個設置され、前記調整台は、接続部と距離調整部とを有し、前記接続部を介して着脱可能に設置されていることを特徴とするエレベーター。
【請求項２】
前記調整台は、複数個が連結された状態で、隣り合う前記調整台の前記距離調整部を構成する２つの平面が直交するように配置されていることを特徴とする請求項１記載のエレベーター。
【発明の詳細な説明】
【技術分野】
【０００１】
本発明は、釣合おもりを有するエレベーターに関する。
【背景技術】
【０００２】
一般に、ロープ式エレベーターにおいては、主ロープの伸びによる釣合おもりと緩衝器との隙間を調整するために、釣合おもりの下端部又は緩衝器台に調整台が設けられている。
【０００３】
特許文献１には、複数のスペーサー体を重ねて設置することにより、つり合おもりと、このつり合おもりを受け止める緩衝器との間隔を調整するつり合おもり用スペーサーが記載されている。このスペーサー体には、係止部と、この係止部と係止する被係止部とが設けられていることが記載されている。
【先行技術文献】
【特許文献】
【０００４】
【特許文献１】特開平７−２６７５３７号公報
【発明の概要】
【発明が解決しようとする課題】
【０００５】
特許文献１に記載のスペーサー体は、構造が複雑であり、製作性への考慮が十分ではなかった。
【０００６】
そこで、本発明は、安価で簡易な構造でも十分な強度を有し、製作性の向上を図った調整台を備えた釣合おもりを提供することを目的とする。
【課題を解決するための手段】
【０００７】
上記課題を解決するために、本発明は、乗りかごと、釣合おもりとを備え、釣瓶式に昇降するエレベーターにおいて、釣合おもりの下方に緩衝器が設置され、釣合おもりの下端部であって緩衝器の鉛直上方に位置する部位には、Ｈ字状部材である調整台が一個又は複数個設置され、調整台は、接続部と距離調整部とを有し、接続部を介して着脱可能に設置されていることを特徴とする。
【発明の効果】
【０００８】
本発明によれば、安価で簡易な構造でも十分な強度を有し、製作性の向上を図った調整台を備えた釣合おもりを提供することができる。
【図面の簡単な説明】
【０００９】
【図１】実施例の釣合おもりの構成を示す正面図である。
【図２】図１の釣合おもりの下端部を示す斜視図である。
【図３】実施例の釣合おもりの構成を示す正面図である。
【図４】図３の釣合おもりの下端部を示す斜視図である。
【図５】従来の釣合おもりの下端部を示す斜視図である。
【発明を実施するための形態】
【００１０】
本発明の実施形態に係るエレベーターの釣合おもりは、断面が略Ｈ字形状の部材（Ｈ形鋼）を着脱可能に複数個取り付ける調整台を備えたものである。この略Ｈ字形状の部材は、「Ｈ字状部材」とも呼ぶ。
【００１１】
調整台は、接続部と、距離調整部とを有し、複数個が連結された状態で、隣り合う調整台の距離調整部を構成する２つの平面が直交するように配置されていることが望ましい。
【００１２】
図５は、従来例である特許文献１に記載のつり合おもり用スペーサーを示したものである。
【００１３】
本図において、つり合おもり１の下端部には、第一スペーサー体８ａと第二スペーサー体８ｂとで構成されたつり合おもり用スペーサーが取り付けられている。第一スペーサー体８ａは、支柱部９ａと取付片１０ａとを有する。第二スペーサー体８ｂは、支柱部９ｂと取付片１０ｂとを有する。第一スペーサー体８ａと第二スペーサー体８ｂとは、取付片１０ａの被係止部１１ａと取付片１０ｂの係止部とをはめ合わせることにより仮止めされる。その後、連結ボルト１７により連結される。支柱部９ａ及び９ｂは、円柱状となっている。
【００１４】
本図に示す従来例のスペーサー体は、特殊でかつ複雑な形状を有するものである。
【００１５】
以下、実施例について図面を用いて説明する。
【実施例１】
【００１６】
本実施例は、２個の調整台の距離調整部を構成する平板部（Ｈ形鋼のウェブ）の主たる平面が互いに直交するように配置したものである。調整台は、接続部（フランジ）と、距離調整部（ウェブ）とからなる。
【００１７】
図３及び４は、本実施例の釣合おもりの構成を示したものである。
【００１８】
図３は、釣合おもりの正面図であり、図４は、図３の釣合おもりの下端部を示す斜視図である。
【００１９】
図３において、エレベーターの釣合おもり１は、複数本の主ロープ２により釣り下げられ、ガイドレール３により案内され、昇降路内を昇降する。この釣合おもり１の下端部には、最も低い位置まで下降した状態にある釣合おもり１と、ピット底部４に取り付けられた緩衝器５との隙間Ｃを基準値の範囲内に調整するため、断面が略Ｈ字形状の部材（Ｈ形鋼）からなる調整台６ａ、６ｂが取り付けられている。釣合おもり１の下端部と調整台６ａとは、取り付けボルト７で締結されている。また、調整台６ａと調整台６ｂとは、取り付けボルト７で締結されている。
【００２０】
調整台６ａ、６ｂは、Ｈ形鋼に取り付けボルト７を取り付ける穴を開けた簡易な形状であり、従来の調整台より製作が容易である。また、調整台６ａ、６ｂは、それぞれの質量が５ｋｇ程度であり、一人の作業者が取り付け及び取り外しを容易に行うことができる。
【００２１】
図４において、調整台６ａ、６ｂは、取り付けボルト７により取り付けられている。調整台６ａのウェブ６ｃと調整台６ｂのウェブ６ｄとは、直交するように締結されている。
【００２２】
この構成において、エレベーターの稼働により主ロープ２が伸び、調整台６ｂと緩衝器５との隙間Ｃが基準値より小さくなった場合には、調整台６ａと調整台６ｂとを締結している取り付けボルト７を取り外し、調整台６ｂを取り外す。
【００２３】
さらに、主ロープ２が伸び、調整台６ａと緩衝器５との隙間Ｃが再び基準値より小さくなった場合には、釣合おもり１と調整台６ａを締結している取り付けボルト７を取り外し、調整台６ａを取り外す。
【００２４】
以上のようにして、緩衝器５の上方の隙間Ｃを容易に調整することができる。
【００２５】
これにより、ウェブ６ｃの平面に平行な方向の力及びウェブ６ｄの平面に平行な方向の力に対する強度が高くなる。よって、従来例のスペーサー体の支柱部に比べて軽量で、かつ、Ｈ形鋼を切り出すだけで製作が可能な調整台６ａ、６ｂを用いて、調整台６ｂと緩衝器５とが衝突した際の圧縮荷重に対する強度を向上することができる。したがって、エレベーターの積載質量が大きく、釣合おもり１の質量が大きい場合にも対応できる。
【実施例２】
【００２６】
本実施例は、２個の調整台の距離調整部を構成する平板部（Ｈ形鋼のウェブ）の主たる平面が互いに平行するように配置したものである。
【００２７】
図１及び２は、本実施例の釣合おもりの構成を示したものである。
【００２８】
以下の説明においては、実施例１と同様の構成については省略する。
【００２９】
図２において、調整台６ａ、６ｂは、取り付けボルト７により取り付けられている。調整台６ａのウェブ６ｃと調整台６ｂのウェブ６ｄとは、平行するように締結されている。
【符号の説明】
【００３０】
１：釣合おもり、２：主ロープ、３：ガイドレール、４：ピット底部、５：緩衝器、６ａ、６ｂ：調整台、６ｃ、６ｄ：ウェブ、７：取り付けボルト、Ｃ：隙間。
【図１】
2014172712.tif 000003
【図２】
2014172712.tif 000004
【図３】
2014172712.tif 000005
【図４】
2014172712.tif 000006
【図５】
2014172712.tif 000007